(57)【要約】      （修正有）【課題】  電気掃除機の吸込口体による清掃時に、清掃体によって使用される水分や洗剤等の清掃材料が床面等の被清掃面に残留することを防止する。【解決手段】  被清掃面に面し移動方向と直行方向に細長く開口する吸込口１０、１１を備えたケース体９と、このケース体９の前記吸込口１０、１１の近傍に沿って所定の長さを有し回動可能に取付けられた回動体１７と、この回動体１７の外周にその回動軸１６とほぼ平行な複数の境界部で分離されて設けられた複数の清掃体２０と、これらの清掃体２０のいずれかが前記被清掃面に接触するように切替える切替機構とを備え、この切替機構により前記被清掃面にいずれかの前記清掃体２０を選択的に接触させる電気掃除機の吸込口体１とする。【選択図】  図１
2005074050.tif 000002
【特許請求の範囲】
【請求項１】
被清掃面に面し移動方向と直行方向に細長く開口する吸込口を備えたケース体と、
このケース体の前記吸込口の近傍に沿って所定の長さを有し回動可能に取付けられた回動体と、
この回動体の外周にその回動軸とほぼ平行な複数の境界部で分離されて設けられた複数の清掃体と、
これらの清掃体のいずれかが前記被清掃面に接触するように切替える切替機構とを備え、
この切替機構により前記被清掃面にいずれかの前記清掃体を選択的に接触させるようにしたことを特徴とする電気掃除機の吸込口体。
【請求項２】
吸込口体の前進と後進との移動方向変換時に切替機構が動作して、それぞれ別の清掃体を被清掃面に接触させるようにしたことを特徴とする請求項１に記載の電気掃除機の吸込口体。
【請求項３】
複数の清掃体のうちの少なくとも１つは、吸液性を有する材料からなることを特徴とする請求項１または請求項２に記載の電気掃除機の吸込口体。
【発明の詳細な説明】
【技術分野】
【０００１】
本発明は、床面等の被清掃面上を移動して、被清掃面上の塵埃を吸込口から空気とともに吸引する電気掃除機の吸込口体に関するものである。
【背景技術】
【０００２】
従来の電気掃除機に用いられる吸込口体には、水分等の含浸性を有するスポンジ等からなる清掃体を備え、汚れている床面等の被清掃面を清掃するものがある。例えば、図７に示す吸込口体５０は、前後に移動させることで水分が含浸可能な雑巾ロール５１により清掃するとともに、ラチェット機構５２により間欠回転させて少しづつ雑巾ロール５１の床面に接触する位置が変化していくようになっている。また、雑巾ロール５１の前後に設けたゴムブレードのようなガイド部材５３、５４は、前後の移動時に床面にあるゴミや汚物などを前方と後方に配置した主吸込口５５、および補助吸込口５６の近くに集めて吸引するようになっている。（例えば、特許文献１参照）
【０００３】
しかし、この従来の吸込口体では、雑巾ロール５１に水分や洗剤を含浸させた場合、床面等の清掃は行われるものの、ガイド部材５３、５４が存在することもあって、床面等に水分や洗剤が残ってしまうことが多いという問題点があった。
【０００４】
【特許文献１】実開平６−３６５５０号公報
【発明の開示】
【発明が解決しようとする課題】
【０００５】
解決しようとする問題点は、清掃時に清掃体によって使用される水分や洗剤が床面等の被清掃面に残留することにある。
【課題を解決するための手段】
【０００６】
本発明は、被清掃面に面し移動方向と直行方向に細長く開口する吸込口を備えたケース体と、このケース体の前記吸込口の近傍に沿って所定の長さを有し回動可能に取付けられた回動体と、この回動体の外周にその回動軸とほぼ平行な複数の境界部で分離されて設けられた複数の清掃体と、これらの清掃体のいずれかが前記被清掃面に接触するように切替える切替機構とを備え、この切替機構により前記被清掃面にいずれかの前記清掃体を選択的に接触させる電気掃除機の吸込口体としたことを主要な特徴とするものである。
【発明の効果】
【０００７】
本発明の電気掃除機の吸込口体は、複数の清掃体を回動体の外周に設けたことにより、清掃時に使用される水分や洗剤等の清掃材料を利用可能とするとともに、これらの清掃材料が床面等の被清掃面に残留することをほとんどなくすことができる利点がある。
【発明を実施するための最良の形態】
【０００８】
電気掃除機の吸込口体において、複数の清掃体を回動体の外周に設け、被清掃面に接触する清掃体をそれぞれ切替えて使用することにより、前記の効果を実現したものである。
【実施例１】
【０００９】
図１から図６により本発明の内容を説明する。図１は本発明の電気掃除機の吸込口体である１実施例の断面図であり、図２は、この吸込口体１を下方から見た平面図である。吸込口体１は、その上方または下方から見ると、全体の外形が概ねＴ字状をしている。
【００１０】
２は、プラスチック材料からなる上ケース３および下ケース４が上下方向から接合され４個所のネジ８により固定された吸込口本体で、この吸込口本体２には、回動支点５を中心に所定の角度範囲で上下方向に回動可能な円筒状の吸込管６が、機密状態となって取付けられている。この吸込管６は、内部に空気流路７を有し、図示しない電気掃除機本体に連結された吸込ホースに、一端が接続されている延長管の他端に着脱自在に接続されている。
【００１１】
吸込口本体２の一部を構成する下ケース４の下面には、進行方向の矢印Ａと直行方向に、細長い前方吸込口１０と後方吸込口１１とが形成されるように金属性のカバー１２が固定されている。このカバー１２により前方吸込口１０と後方吸込口１１との上方には空気室１３を有し、この空気室１３に隣接して流入空気が集合するようにラッパ状をした集合ガイド部１４が設けられ、さらにこの集合ガイド部１４は、前記空気流路７に空気を排出できるように前記吸込管６に近接して配置されている。前記上ケース３、下ケース４、およびカバー１２により、ケース体９を構成している。
【００１２】
また、前方吸込口１０と後方吸込口１１との中間部には、これらに沿ってカバー１２の一部により構成される円弧状部１５がトンネル状に設けられている。この円弧状部１５は、前方吸込口１０および後方吸込口１１の全長とほぼ同一の長さを有し、吸込口本体２の一側部から他側部にわたって延びている。
【００１３】
一方、円弧状部１５の内部には、その回動軸１６の両端が下ケース４の両側に軸支されて回動する円柱状の回動体１７が収容され、この回動体１７の外周には、複数の清掃体２０が設けられている。吸込口本体２の前端部および両側部には、弾力性を有するバンパー２１が取付けられている。また、下ケース４における前記後方吸込口１１および円弧状部１５の両側には、短い毛状の繊維が基板に多数植設されたブラシ毛１９が取付けられている。さらに下ケース４の後方下端には１個の車輪２３が取付けられ、吸込口本体２の移動を容易にしている。
【００１４】
次に、図３から図６により、回動体１７、清掃体２０の構造および動作機構につき説明する。回動体１７の外周には、一方の境界部１８が回動軸１６の回転中心軸とほぼ平行になって一端から他端にほぼ全長にわたり固定され、またこの一方の境界部から１８０度変位した対象位置に、他方の境界部１８が同様に固定されている。これらの２個所の境界部１８は、液体が浸透または透過しない材料であるプラスチックや金属によって形成されているが、これらは、プラスチック材料により最初から回動体１７と一体的に成形加工して設けることもできる。
【００１５】
これらの境界部１８によって仕切られた回動体１７の外周には、一方が洗浄側２０ａ、他方が拭取側２０ｂからなる２つの清掃体２０が、それぞれ半周づつ変位して着脱自在に巻付けられている。これらの清掃体２０は、それぞれ液体が含浸し易い吸液性繊維質の同一材料からなり、一方には水分または洗剤が含浸され、他方には何も含浸されていない状態となっている。清掃体２０は、一方を繊維質からなる綿布とし、他方はより吸液性の高いスポンジなど発泡性材料のプラスチックとすることもでき、使用状態によって適時新しいものと交換することができる。図４は、清掃体２０の一方である拭取側２０ｂの接点２０ｃが、床面等の被清掃面２１に接触している状態を示している。回動体１７の外周には、仕切部材となる境界部１８が存在することにより、隣接して取付けられた一方の清掃体２０（洗浄側２０ａ）から他方の清掃体２０（拭取側２０ｂ）に、水分や洗剤が直接浸透して移動することを防止できる。２２は、回動体１７の回動範囲を制限するためにその両側面に固定された突起である。
【００１６】
また、２つの清掃体２０と２つの境界部１８は、予め交互に接合して一体化し全体を円筒状としておいて、回動体１７の一端からその外周を覆うように挿入して取付けるか、一個所で切離した一枚の材料としておいて、これを回動体１７の外周に巻付けて着脱自在に取付けることができる。
【００１７】
図５および図６により、回動体１７および清掃体２０の回動および切替機構につき説明する。前記カバー１２に有する円弧状部１５の内部に、外周に清掃体２０が取付けられた回動体１７が収容されている。この円弧状部１５の両側壁２３には、４分の１回転に当たる９０度の角度範囲で円弧状に切り欠いた貫通穴または溝部からなる回動規制部２４がそれぞれ設けられ、この回動規制部２４に回動体１７の両側面からそれぞれ突出した前記突起２２が係合している。これらの係合状態により、回動体１７は９０度の範囲でのみ回動が可能となっている。回動規制部２４による回動体１７の回動可能範囲は、切り欠きの長さを例えば１２０度の角度とするなどにより変更することができる。
【００１８】
図１、図５および図６により、被清掃面２１の清掃作業に付き説明する。図示しない掃除機本体の電源スイッチを入力して電動送風機を駆動した後、作業者は延長管を手で押し出して吸込口体１を矢印Ａ方向に前進させる。この前進状態で回動体１７は、図５における時計方向に右回転し、突起２２が回動規制部２４の端部に達して係止された後は、それ以上に回転することができない。この状態でさらに吸込口体１をＡ方向に前進させることにより、一方の清掃体２０である洗浄側２０ａが被清掃面２１を滑っていくことになる。これにより洗浄側２０ａに含浸された水分または洗剤によって、被清掃面２２を洗浄していくことになる。
【００１９】
次に作業者は、延長管を押し出した手を引き戻すと、矢印Ａと逆方向の矢印Ｂ方向に吸込口体１が後進し、回動体１７は反時計方向に左回転を開始する。そして、９０度回転すると、図６に示す状態となって突起２２が回動規制部２４の図５と反対側の端部に係止され、回動体１７はそれ以上の回転が阻止される。この状態でさらに吸込口体１はＢ方向に後進されることにより、他方の清掃体２０である拭取側２０ｂが被清掃面２１を滑っていくことになる。これにより他方の清掃体２０の拭取側２０ｂによって、被清掃面２１に付着している水分または洗剤および汚染物質を拭き取っていくことができる。
【００２０】
このような作業者による吸込口体１の前進および後進操作を繰り返すことにより、被清掃面に浮遊する塵埃の吸引、および清掃体２０による洗浄と拭き取りとを行っていくことができる。この際、清掃体２０の前後に前方吸込口１０と後方吸込口１１とが存在するため、前進時および後退時のいずれにおいても被清掃面の塵埃を吸引してから清掃体２０による清掃作業が行われることで、清掃効果を向上させるとともに、清掃体２０の交換や洗浄回数を低減することができる。清掃作業において、清掃体２０の水分や洗剤が不足した状態となった場合には適時これらを補給するとともに、いずれかの清掃体２０が消耗した場合には、これを交換したり洗浄することにより長期的な使用に耐えることができる。
【００２１】
上記の突起２２と回動規制部２４とからなる切替機構は、この実施例に代えてカバー１２に有する円弧状部１５の両側壁２３に突起２２を、回動体１７の両側面には回動規制部２４を設けることも可能である。その他、例えば円弧状部１５の両側壁２３と回動体１７の両側面とのいずれか一方には、９０度の回転角度で互いに離間してそれぞれ設けた突部を、他方には、これらの突起の間を回転移動可能な１個の突起を設けるなどにより、回動体１７の正逆回転を一定範囲に制限する切替機構であれば、上記実施例に限定されないものである。
【００２２】
また、上記実施例では、円柱状となった回動体１７の外周に複数の清掃体２０を取付けたが、これに代えて、水分または洗剤が含浸可能なプラスチック製の比較的硬質な材料により、半円柱形のものを２個作り、これらの間に前記境界部１８となるような液体を透過しないプラスチック板を挟持して１個の円柱状となるように接合すれば、回動体１７と清掃体２０とを同一材料で兼用することができる。
【００２３】
さらに、回転体１７の外周に仕切部材を設けずに、互いの間に回動軸１６と平行な一定の離間部を設けて複数の清掃体２０を取付けることにより、その離間部が境界部１８となり、境界部１８として仕切部材を設けた場合と同様に、隣接する清掃体２０との間で水分または洗剤の浸透移動をなくすることができる。また、水分や洗剤のほかに、研磨剤、光沢剤、拭取材等の清掃材料を各清掃体２０にそれぞれ別々に含浸させることもできる。
【００２４】
その他、一個の回動体１７に代えて２個の回動体を離間して設け、これらの回動体の間にエンドレス状態の清掃体を架け渡しても同様な効果を果たすこともできる。この場合の清掃体は、無限軌道であるキャタピラーのような形状とすることにより清掃体の表面積を広くし、一層清掃効果を高めることができる。
【００２５】
さらに、回動体１７および清掃体２０を覆うカバー１２に有する円弧状部１５は、必ずしも設ける必要はないが、清掃体２０に含浸させた水分や洗剤などの清掃材料が気化する時間を少しでも遅らせるためには必要となるものである。
【００２６】
また、上記実施例では、回動体１７の両側面に突出させた突起２２と回動規制部２４とによる切替機構を設け、吸込口体１の前進および後進動作により連動して、被清掃体２１に接触する清掃体２０を自動的に切替えて使用できるようにしたが、この切替機構は、いずれかの必要な清掃体２０を被清掃体２１に接触させるために、作業者が手動により切替えることができる構造とすることも容易に可能である。また、回動体１７の外周面に３個またはそれ以上の境界部を設けて多数の清掃体を取付け、それらの清掃体を順次被清掃面に接触させるようにするラチェット機構や、電動制御または手動操作によって多数の回動体を回転させ被清掃面に接触する清掃体を選択的に切替えるようにすることも可能である。
【産業上の利用可能性】
【００２７】
電気掃除機の吸込口体として、フローリングなど洋式の床面を効果的に清掃する用途に適用できる。
【図面の簡単な説明】
【００２８】
【図１】本発明の電気掃除機の吸込口体を示す断面図である。（実施例１）
【図２】図１の吸込口体を下面方向からみた平面図である。
【図３】図１の回動体および清掃体を示す斜視図である。
【図４】図３のＸ−Ｘにおける断面図である。
【図５】図１の切替機構の切替状態を示す説明図である。
【図６】図１の切替機構の切替状態を示す説明図である。
【図７】従来の電気掃除機の吸込口体を示す断面図である。
【符号の説明】
【００２９】
１    吸込口体
９    ケース体
１０  前方吸込口（吸込口）
１１  後方吸込口（吸込口）
１７  回動体
１８  境界部
２０  清掃体
２２  突起（切替機構）
２４  回動規制部（切替機構）  
【図１】
2005074050.tif 000003
【図２】
2005074050.tif 000004
【図３】
2005074050.tif 000005
【図４】
2005074050.tif 000006
【図５】
2005074050.tif 000007
【図６】
2005074050.tif 000008
【図７】
2005074050.tif 000009